(57)【要約】【課題】  草の根を引き抜くように除草できると共に、根切りや小枝の切断、周辺の苔取り、整地等が容易にできる除草具を提供すること。【解決手段】  把持部２と、この把持部２から前方に延びる刃部本体３とを備え、この刃部本体３の先端に前記把持部２の軸線Ｃに対して交差する掻き取り部１０を具備させ、前記刃部本体３の一側方に前記把持部２の軸線Ｃ方向に複数の切刃２１を有する切断部２０を具備させ、この刃部本体３の他側方に前記把持部２の軸線Ｃに対して交差する方向に複数の凹凸状刃３１を有する除草部３０を具備させる。【選択図】  図１
0003148368.tif 000002
【実用新案登録請求の範囲】
【請求項１】
把持部と、該把持部から前方に延びる刃部本体とを備え、
該刃部本体の前端に前記把持部の軸線に対して交差する掻き取り部を具備させ、
該刃部本体の一側方に前記把持部の軸線方向に複数の切刃を有する切断部を具備させ、
該刃部本体の他側方に前記把持部の軸線に対して交差する方向に複数の凹凸状刃を有する除草部を具備させたことを特徴とする除草具。
【請求項２】
前記除草部を、前記把持部の軸線に対し交差して離れる前側が前記把持部から離れる方向に傾斜するように形成し、
前記凹凸状刃を、前記把持部の軸線方向に先端が突出する突起を有する凹凸状刃に形成した請求項１に記載の除草具。
【請求項３】
前記切断部を、前記把持部の軸線に対して先端側が離れるように傾斜させて配設し、該切断部の切刃を前記把持部の軸線方向に連続する波形刃に形成した請求項１又は請求項２に記載の除草具。
【請求項４】
前記掻き取り部を、前記把持部の軸線に対して所定角度で交差させ、該掻き取り部の断面形状を、先端の尖った大角度部と該大角度部から前記刃部本体の側面に連なる小角度部とを有する２段刃に形成した請求項１〜３のいずれか１項に記載の除草具。
【請求項５】
前記除草部と前記掻き取り部との角部と、前記切断部と前記掻き取り部との角部とに摩耗防止材を設けた請求項１〜４のいずれか１項に記載の除草具。
【考案の詳細な説明】
【技術分野】
【０００１】
本考案は、芝生や家庭園芸、花壇等において除草作業を行うための除草具に関する。
【背景技術】
【０００２】
従来、一般家庭における芝生や小面積の芝生の管理としては、芝刈りや散水などは勿論であるが、芝生の中に生えてくる雑草取りを行わなければならない。また、家庭園芸や花壇等でも雑草取り作業を行わなければならない。このような雑草取りのための除草薬が市販されて使われているが、環境には良くない。そのため、多くの場合、手作業によって草を抜くか、除草具等の手工具によって除草作業が行われている。
【０００３】
手工具による芝生や家庭園芸、花壇等の除草作業は、一般的に鎌が使用されるが、地表から伸びた部分のみを刈っても短時間で再び伸びるので、草の根を引き抜くような除草具も使用される。
【０００４】
このように草の根を引き抜く除草具に関する従来技術としては、例えば、草抜き方向に対して鈍角方向に後方へ開口した複数の凹凸部を設け、その凹部に草の根を引っ掛けて引き抜くようにした草取り具がある（例えば、特許文献１参照）。
【０００５】
また、草の根を引き抜くことができる他の従来技術としては、鉄鋼製長尺棒の先端部を、草根切刃と、草根打撃叩面とし、その後方に根っこ引掛用突起条物と、雑草集合用切欠条溝及び草刈刃を設けた草取り具がある（例えば、特許文献２参照）。
【特許文献１】特開２００７−１３５５０８号公報
【特許文献２】実用新案登録第３１０４１２８号公報
【考案の開示】
【考案が解決しようとする課題】
【０００６】
ところで、この種の除草具を用いて芝生の雑草除去を行う場合、雑草除去と共に、周辺のレンガやブロックなどの境界部分から伸びた芝生の根切りや、レンガ、ブロックなどの表面の苔を除去する作業も同時に行いたいという要望がある。
【０００７】
また、家庭園芸や花壇の雑草除去を行う場合においても、周辺のレンガ等における苔取りや、例えば、プランターを用いた家庭園芸等の場合には、プランター周囲の苔取りや内部の整地等も行いたいという要望もある。
【０００８】
しかしながら、上記特許文献１及び２では、除草作業以外の上記したような苔取りや整地等の作業を効率良く行うことができない。そのため、従来の道具で除草作業を行う場合には、草取り具以外に苔取り用の道具や整地用の道具等を複数用意し、作業に応じてこれら複数の道具を使い分けて作業を行うこととなり、非常に手間を要する。
【０００９】
このようなことは、芝生や家庭園芸、花壇等の除草作業以外の除草作業でも同様であり、例えば、塀に近い位置での除草作業では塀の苔取りや整地作業も同時に行いながら除草作業を行いたいという要望があり、道路脇の除草作業では小枝の切断等も行いながら除草作業を行いたいという要望がある。
【００１０】
そこで、本考案は、草の根を引き抜くように除草できると共に、根切りや小枝の切断、周辺の苔取り、整地等が効率良く容易にできる除草具を提供することを目的とする。
【課題を解決するための手段】
【００１１】
上記目的を達成するために、本考案は、把持部と、該把持部から前方に延びる刃部本体とを備え、該刃部本体の前端に前記把持部の軸線に対して交差する掻き取り部を具備させ、該刃部本体の一側方に前記把持部の軸線方向に複数の切刃を有する切断部を具備させ、該刃部本体の他側方に前記把持部の軸線に対して交差する方向に複数の凹凸状刃を有する除草部を具備させている。これにより、刃部本体に備えられた除草部の凹凸状刃により雑草を根から引き抜く雑草取りができ、切断部により雑草等の根切りや小枝切りができ、掻き取り部により苔取りができるので、除草作業時に１つの道具で複数の作業を効率良く行って迅速な除草作業を行うことができる。
【００１２】
また、前記除草部を、前記把持部の軸線に対し交差して離れる前側が前記把持部から離れる方向に傾斜するように形成し、前記凹凸状刃を、前記把持部の軸線方向に先端が突出する突起を有する凹凸状刃に形成してもよい。このようにすれば、把持部に向けて突起が向いた凹凸状刃に草の根が引っ掛かり易く、引っ掛かった草の根は把持部を引くことにより容易に抜き取ることができる。
【００１３】
さらに、前記切断部を、前記把持部の軸線に対して先端側が離れるように傾斜させて配設し、該切断部の切刃を前記把持部の軸線方向に連続する波形刃に形成してもよい。このようにすれば、除草作業時に波形刃で芝の根を切ったり、花や小枝等を容易に切ることができる。
【００１４】
また、前記掻き取り部を、前記把持部の軸線に対して所定角度で交差させ、該掻き取り部の断面形状を、先端の尖った大角度部と該大角度部から前記刃部本体の側面に連なる小角度部とを有する２段刃に形成してもよい。このようにすれば、把持部の軸線に対して所定角度を持たせた掻き取り部で苔取りや整地等を容易に行うことができ、しかも、掻き取り部の大角度部によって行うので摩耗や損傷を抑えて苔取りや整地等を安定して行うことができる。
【００１５】
さらに、前記除草部と前記掻き取り部との角部と、前記切断部と前記掻き取り部との角部とに摩耗防止材を設けてもよい。このようにすれば、苔取りや土ならし、除草、切断等の作業時に磨耗しやすい角部を摩耗防止材によって長期間保護することができる。
【考案の効果】
【００１６】
本考案は、以上説明したような手段により、芝生や家庭園芸の除草作業時に、根切りや小枝の切断、周辺の苔取り、整地等、複数の作業を効率良く容易に行うことができ、除草作業の効率化を図ることが可能となる。
【考案を実施するための最良の形態】
【００１７】
以下、本考案の一実施の形態を図面に基づいて説明する。図１は、本考案の第１実施の形態に係る除草具を示す側面図であり、図２は、図１に示す除草具の平面図、図３は、図１に示すIII−III断面図である。この明細書及び実用新案登録請求の範囲の書類中では、除草具の先端側（図１の左側）を「前」という。
【００１８】
図１，２に示すように、この実施の形態の除草具１は、把持部２と、この把持部２から前方に延びる刃部本体３とを備えている。把持部２は、作業者が手に持ちやすい長さで、握りやすい略縦長矩形状断面に形成されている。この把持部２の後述する除草部３０側には、作業者が把持部２を持ちやすいようにする凹状湾曲部８が設けられている。刃部本体３は、例えば、数ミリの鋼板を機械加工することにより形成される。この刃部本体３の基部５に取付用孔６が設けられ、この基部５が上記把持部２の前端部に設けられた挿入用切欠き部７に挿入され、ピン４によって把持部２に固定されている。この実施の形態の刃部本体３は、基部５から先端に向けて把持部２の軸線Ｃに対して前方が広がるように形成されている。また、把持部２の形状は、丸形で釘止めにしてもよい。
【００１９】
この刃部本体３の前端には掻き取り部１０が具備され、刃部本体３の一側方には上記把持部２の軸線Ｃの方向に複数の切刃２１を有する切断部２０が具備され、他側方には上記把持部２の軸線Ｃの方向に対して交差する方向に複数の凹凸状刃３１を有する除草部３０が具備されている。
【００２０】
上記掻き取り部１０は、把持部２の軸線Ｃに対して所定角度θで傾斜して形成されており、この実施の形態では、軸線Ｃに対して、除草部３０側が前方に位置し、切断部２０側が把持部２側に位置するように傾斜している。この所定角度θは、作業時に力を入れやすい角度に設定される。図３に示すように、この掻き取り部１０の断面形状としては、先端の尖った大角度部１１と、この大角度部１１から刃部本体３の側面に連なる小角度部１２とを有する２段刃に形成されている。なお、この掻き取り部１０の大角度部１１に超硬チップをロウ付けして摩耗防止を図るようにしてもよい。
【００２１】
また、図１に示すように、上記切断部２０は、上記把持部２の軸線Ｃに対して前側が離れるように所定角度αで傾斜して形成され、この把持部２には軸線Ｃの方向に複数の切刃２１が設けられている。この切刃２１は、所定の円弧が連続する波形刃に形成されており、鋸状の刃となっている。軸線Ｃに対して所定角度αを持たせることにより、切刃２１による切断時に力を入れやすくしている。
【００２２】
一方、上記除草部３０は、把持部２の軸線Ｃに対して所定角度βで傾斜した刃部本体他側方の中央付近前部から前端に向けて設けられており、把持部２に固定された基部５から前方に延びる刃部本体３の側方に、上記把持部２の軸線Ｃに対し交差して離れる前側が上記把持部２から離れる方向に所定角度で傾斜するように形成されている。つまり、刃部本体３の片側における中央付近から先端において、前側が把持部２の軸線Ｃから離れる方向に傾斜した除草部３０となっている。この除草部３０を軸線Ｃに対して所定角度βで形成した刃部本体３の他側方に設けることにより、作業時に力を入れやすくしている。
【００２３】
そして、この除草部３０に設けられた上記凹凸状刃３１は、上記把持部２に向けて先端が突出する凸部３２を有する凹凸状刃３１に形成されており、草の根や茎が引っ掛かる深さの凹部３３が形成されている。この実施の形態では、５つの凹凸状刃３１が形成され、軸線Ｃに最も近い内側の凹凸状刃３１が把持部２の端面の延長線上に位置するようになっている。このような凹凸状刃３１を除草部３０に具備させることにより、把持部２を持って手前に引いて草取りを行えば、この凹凸状刃３１の凹部３３に雑草の基部又は根部を確実に引っ掛けて抜くことができるようにしている。しかも、この凹凸状刃３１を、把持部２の軸線Ｃに対して前側が把持部２から離れるような傾斜を持たせているので、土中を引くときの抵抗を抑えつつ確実に雑草の根や茎に引っ掛けて抜くことができる。
【００２４】
さらに、上記掻き取り部１０は、土ならし等を行うときに使用されるが、この掻き取り部１０と除草部３０との角部と、この掻き取り部１０と上記切断部２０との角部とには、土ならし、除草作業、切断作業時の摩耗防止のため、摩耗防止材４０が設けられている。この実施の形態の摩耗防止材４０は、超硬チップがロウ付けによって取付けられている。この摩耗防止材４０は、超硬チップ以外の構成であってもよく、使用条件によっては無くてもよい。
【００２５】
図４は、上記除草具１の使用状態を示す斜視図であり、以上のように構成された除草具１によれば、刃部本体３に備えられた除草部３０により、把持部２を持って手前に引けば凹凸状刃３１の凹部３３に草の根や茎ａが引っ掛かり、引っ掛かった草の根や茎は把持部２を引くことにより容易に抜き取ることができる。また、切断部２０により、除草作業時に周囲の芝の根を切ったり、周囲の花や小枝ｂを切ったりすることができる。さらに、掻き取り部１０により、ブロックｃ等の苔ｄを取ったり整地等を安定して行うことができるので、除草作業時におけるあらゆる作業を１つの除草具１で効率良く行って迅速な除草作業を行うことが可能となる。しかも、苔取りや土ならし、除草、切断等の作業時に磨耗しやすい角部を摩耗防止材４０によって保護することができるので、長期間安定して除草作業を行うことが可能となる。
【００２６】
図５は、本考案の第２実施の形態に係る除草具を示す側面図である。なお、この第２実施の形態は上記第１実施の形態と刃部本体が異なるものであり、把持部２に関する構成には上記第１実施の形態と同一符号を付して説明する。
【００２７】
図示するように、この実施の形態の除草具５１も、把持部２と、この把持部２から前方に延びる刃部本体５３とを備えており、この刃部本体５３の基部５５に設けられた取付用孔５６が把持部２の先端部にピン４で固定されている。この把持部２の形状は、丸形で釘止めにしてもよい。
【００２８】
この刃部本体５３の前端には掻き取り部６０が具備され、刃部本体５３の一側方には上記把持部２の軸線Ｃの方向に複数の切刃７１を有する切断部７０が具備され、他側方には上記把持部２の軸線Ｃの方向に対して交差する方向に複数の凹凸状刃８１を有する除草部８０が具備されている。この実施の形態の刃部本体５３は、基部５５から先端に向けて把持部２の軸線Ｃに対して両側部が切断部７０側に傾くように形成されている。
【００２９】
上記掻き取り部６０は、上記第１実施の形態と同様に、把持部２の軸線Ｃに対して所定の角度θで傾斜して形成されている。この掻き取り部６０の断面形状も、上記図３のように、先端の尖った大角度部６１と、この大角度部６１から刃部本体５３の側面に連なる小角度部６２とを有する２段刃に形成されている。この掻き取り部６０の断面形状は、２段刃でなくてもよい。
【００３０】
また、図５に示すように、上記切断部７０は、上記把持部２の軸線Ｃに対して前側が離れるように所定角度αで傾斜して形成され、この把持部２には軸線Ｃの方向に複数の切刃７１が設けられている。この切刃７１は、所定の円弧が連続する波形刃に形成されており、鋸状の刃となっている。
【００３１】
一方、上記除草部８０は、把持部２の軸線Ｃに対して所定角度βで傾斜した刃部本体他側方の中央付近前部から前端に向けて設けられており、把持部２に固定された基部５５から前方に延びる刃部本体５３の側方に、上記把持部２の軸線Ｃに対し交差して離れる前側が上記把持部２から離れる方向に所定角度で傾斜するように形成されている。つまり、刃部本体５３の片側における中央付近から先端において、前側が把持部２の軸線Ｃから離れる方向に傾斜した除草部８０となっている。この除草部８０を軸線Ｃに対して所定角度βで形成した刃部本体５３の他側方に設けることにより、作業時に草の根や茎が引っ掛かりやすいようにしている。
【００３２】
そして、この除草部８０に設けられた上記凹凸状刃８１は、上記把持部２に向けて先端が突出する凸部８２を有する凹凸状刃８１に形成されており、草の根や茎が引っ掛かる深さの凹部８３が形成されている。このような凹凸状刃８１を除草部８０に具備させることにより、把持部２を持って手前に引いて草取りを行えば、この凹凸状刃８１の凹部８３に雑草の基部又は根部を確実に引っ掛けて抜くことができるようにしている。
【００３３】
さらに、上記掻き取り部６０は、土ならし等を行うときに使用されるが、この掻き取り部６０と除草部８０との角部と、この掻き取り部６０と上記切断部７０との角部とには、土ならし、除草作業、切断作業時の摩耗防止のため、摩耗防止材９０が設けられている。この実施の形態の摩耗防止材９０も、超硬チップがロウ付けによって取付けられている。
【００３４】
以上のように構成された除草具５１によっても、上記図４と同様に、刃部本体５３に備えられた除草部８０により、把持部２を持って手前に引けば凹凸状刃８１の凹部８３に草の根や茎ａが引っ掛かり（図４）、引っ掛かった草の根や茎ａ等は把持部２を引くことにより容易に抜き取ることができる。また、切断部７０により、除草作業時に芝の根を切ったり、周囲の花や小枝ｂを切ったりすることができる（図４）。さらに、掻き取り部６０により、ブロックｃ等の苔ｄを取ったり（図４）整地等を安定して行うことができるので、除草作業時におけるあらゆる作業を１つの除草具５１で効率良く行って迅速な除草作業を行うことが可能となる。しかも、苔取りや土ならし等の作業時に磨耗しやすい角部を摩耗防止材９０によって保護することができるので、長期間安定して除草作業を行うことが可能となる。
【００３５】
なお、上記実施の形態では、掻き取り部１０，６０の除草部３０，８０側が前方へ突出するようにしているが、切断部２０，７０側が前方へ突出するようにしてもよく、上記実施の形態に限定されるものではない。
【００３６】
また、上記実施の形態における除草部３０，８０の凹凸状刃３１，８１は一例であり、凸部３２，８２が把持部２に向けて突出して凹部３３，８３に草の根等が引っ掛かるようにしたものであればよく、上記実施の形態に限定されるものではない。
【００３７】
さらに、上述した実施の形態は一例を示しており、本考案の要旨を損なわない範囲での種々の変更は可能であり、本考案は上述した実施の形態に限定されるものではない。
【産業上の利用可能性】
【００３８】
本考案に係る除草具は、芝生や家庭園芸、花壇の雑草除去や、草の根や小枝の切断、苔取り等を１つの道具で行いたい場合に利用できる。
【図面の簡単な説明】
【００３９】
【図１】本考案の第１実施の形態に係る除草具を示す側面図である。
【図２】図１に示す除草具の平面図である。
【図３】図１に示すIII−III断面図である。
【図４】図１に示す除草具の使用状態を示す斜視図である。
【図５】本考案の第２実施の形態に係る除草具を示す側面図である。
【符号の説明】
【００４０】
１…除草具
２…把持部
３…刃部本体
１０…掻き取り部
１１…大角度部
１２…小角度部
２０…切断部
２１…切刃
３０…除草部
３１…凹凸状刃
４０…摩耗防止材
５１…除草具
５３…刃部本体
６０…掻き取り部
６１…大角度部
６２…小角度部
７０…切断部
７１…切刃
８０…除草部
８１…凹凸状刃
９０…摩耗防止材
【図１】
0003148368.tif 000003
【図２】
0003148368.tif 000004
【図３】
0003148368.tif 000005
【図４】
0003148368.tif 000006
【図５】
0003148368.tif 000007